(57)【要約】      （修正有）【課題】カウンセリングのより正確な解析を可能にする生体行動反応解析システムを提供する。【解決手段】被験者および試験者のGSRおよび心脈拍を夫々検出する第１および第２のGSRセンサのそれぞれのGSRのゲインが適正であることを確認するゲイン確認手段と、前記第１および第２のGSRセンサのそれぞれのGSRに基づき被験者および試験者が安静状態であることを確認する安静状態確認手段と、を有し、予備測定の段階でGSRのゲインが適正であることならびに被験者および試験者が安静状態であることを確認すると本測定を開始することを特徴とする生体行動反応解析システムである。【選択図】図１
2011087784.tif 000002
【特許請求の範囲】
【請求項１】
被験者と試験者とのコミュニケーションに基づくカウンセリングに使用するための生体行動反応解析システムであって、
被験者および試験者のGSRおよび心脈拍を夫々検出する第１のGSRセンサおよび第２のGSRセンサならびに第１の心脈拍センサおよび第２の心脈拍センサと、
前記被験者および前記試験者の生体行動に関する画像情報および音声情報を監視および記録する生体行動監視装置と、
前記生体行動監視装置から出力された前記画像情報および前記音声情報に基づく前記被験者および前記試験者の心理学−生理学的分類情報を入力するための第１および第２の反応キーと、
前記第１および第２のGSRセンサならびに前記第１および第２の心脈拍センサと、前記第１および第２の反応キーとを接続されており、前記被験者および前記試験者の前記GSRおよび前記心脈拍ならびに前記心理学−生理学的分類情報を同期させる処理を行うとともに、前記被験者および前記試験者の前記GSRおよび前記心脈拍ならびに前記心理学−生理学的分類情報を同期された形で出力する情報処理出力装置と、
を具え、
前記被験者および前記試験者の前記GSRおよび前記心脈拍ならびに前記心理学−生理学的分類情報の同期された形の出力に基づいてカウンセリングの解析を行い得るようにした生体行動反応解析システムにおいて、
前記情報処理出力装置が、
前記第１および第２のGSRセンサのそれぞれのGSRのゲインが適正であることを確認するゲイン確認手段と、
前記第１および第２のGSRセンサのそれぞれのGSRに基づき前記被験者および前記試験者が安静状態であることを確認する安静状態確認手段と、
を有し、
予備測定の段階で前記GSRのゲインが適正であることならびに前記被験者および前記試験者が安静状態であることを確認すると本測定を開始することを特徴とする生体行動反応解析システム。
【請求項２】
前記第１および第２の反応キーは、
前記信号を段階的または連続的に変化させて出力する出力手段と、
前記出力手段を非操作状態に復帰させるリセット手段と、
を有し、
前記出力手段を操作されて前記被験者および前記試験者の心理学−生理学的分類情報の程度を段階的または連続的に入力することを特徴とする、請求項１記載の生体行動反応解析システム。
【請求項３】
前記被験者および前記試験者の少なくとも一方の頭部の複数箇所に近赤外線を照射して脳表面からの反射光を受光し、その反射光レベルの微細な変化に基づき前記被験者および前記試験者の少なくとも一方の感情を測定する光トポグラフィ装置をさらに具え、
前記情報処理出力装置は、前記第１および第２のGSRセンサならびに前記第１および第２の心脈拍センサと、前記第１および第２の反応キーとに加えて、前記光トポグラフィ装置を接続されており、前記被験者および前記試験者の前記GSRおよび前記心脈拍ならびに前記心理学−生理学的分類情報を同期させ、さらにそれらGSRおよび心脈拍ならびに心理学−生理学的分類情報に前記被験者および前記試験者の少なくとも一方の感情情報を同期させる処理を行うとともに、前記被験者および前記試験者の前記GSRおよび前記心脈拍ならびに前記心理学−生理学的分類情報および、前記被験者および前記試験者の少なくとも一方の感情情報を同期された形で出力し、
前記被験者および前記試験者の前記GSRおよび前記心脈拍ならびに前記心理学−生理学的分類情報および、前記被験者および前記試験者の少なくとも一方の感情情報の同期された形の出力に基づいてカウンセリングの解析を行い得るようにしたことを特徴とする、請求項１または２記載の生体行動反応解析システム。
【請求項４】
被験者と試験者とのコミュニケーションに基づくカウンセリングに使用するための生体行動反応解析システムであって、
被験者および試験者のGSRおよび心脈拍を夫々検出する第１のGSRセンサおよび第２のGSRセンサならびに第１の心脈拍センサおよび第２の心脈拍センサと、
前記被験者および前記試験者の生体行動に関する画像情報および音声情報を監視および記録する生体行動監視装置と、
前記生体行動監視装置から出力された前記画像情報および前記音声情報に基づく前記被験者および前記試験者の心理学−生理学的分類情報を入力するための第１および第２の反応キーと、
前記第１および第２のGSRセンサならびに前記第１および第２の心脈拍センサと、前記第１および第２の反応キーとを接続されており、前記被験者および前記試験者の前記GSRおよび前記心脈拍ならびに前記心理学−生理学的分類情報を同期させる処理を行うとともに、前記被験者および前記試験者の前記GSRおよび前記心脈拍ならびに前記心理学−生理学的分類情報を同期された形で出力する情報処理出力装置と、
を具え、
前記被験者および前記試験者の前記GSRおよび前記心脈拍ならびに前記心理学−生理学的分類情報の同期された形の出力に基づいてカウンセリングの解析を行い得るようにした生体行動反応解析システムにおいて、
前記第１および第２の反応キーが、
前記信号を段階的または連続的に変化させて出力する出力手段と、
前記出力手段を非操作状態に復帰させるリセット手段と、
を有し、
前記出力手段を操作されて前記被験者および前記試験者の心理学−生理学的分類情報の程度を段階的または連続的に入力することを特徴とする生体行動反応解析システム。
【請求項５】
被験者と試験者とのコミュニケーションに基づくカウンセリングに使用するための生体行動反応解析システムであって、
被験者および試験者のGSRおよび心脈拍を夫々検出する第１のGSRセンサおよび第２のGSRセンサならびに第１の心脈拍センサおよび第２の心脈拍センサと、
前記被験者および前記試験者の生体行動に関する画像情報および音声情報を監視および記録する生体行動監視装置と、
前記生体行動監視装置から出力された前記画像情報および前記音声情報に基づく前記被験者および前記試験者の心理学−生理学的分類情報を入力するための第１および第２の反応キーと、
前記第１および第２のGSRセンサならびに前記第１および第２の心脈拍センサと、前記第１および第２の反応キーとを接続されており、前記被験者および前記試験者の前記GSRおよび前記心脈拍ならびに前記心理学−生理学的分類情報を同期させる処理を行うとともに、前記被験者および前記試験者の前記GSRおよび前記心脈拍ならびに前記心理学−生理学的分類情報を同期された形で出力する情報処理出力装置と、
を具え、
前記被験者および前記試験者の前記GSRおよび前記心脈拍ならびに前記心理学−生理学的分類情報の同期された形の出力に基づいてカウンセリングの解析を行い得るようにした生体行動反応解析システムにおいて、
前記被験者および前記試験者の少なくとも一方の頭部の複数箇所に近赤外線を照射して脳表面からの反射光を受光し、その反射光レベルの微細な変化に基づき前記被験者および前記試験者の少なくとも一方の感情を測定する光トポグラフィ装置をさらに具え、
前記情報処理出力装置が、前記第１および第２のGSRセンサならびに前記第１および第２の心脈拍センサと、前記第１および第２の反応キーとに加えて、前記光トポグラフィ装置を接続されており、前記被験者および前記試験者の前記GSRおよび前記心脈拍ならびに前記心理学−生理学的分類情報を同期させ、さらにそれらGSRおよび心脈拍ならびに心理学−生理学的分類情報に前記被験者および前記試験者の少なくとも一方の感情情報を同期させる処理を行うとともに、前記被験者および前記試験者の前記GSRおよび前記心脈拍ならびに前記心理学−生理学的分類情報および、前記被験者および前記試験者の少なくとも一方の感情情報を同期された形で出力し、
前記被験者および前記試験者の前記GSRおよび前記心脈拍ならびに前記心理学−生理学的分類情報および、前記被験者および前記試験者の少なくとも一方の感情情報の同期された形の出力に基づいてカウンセリングの解析を行い得るようにしたことを特徴とする生体行動反応解析システム。
【発明の詳細な説明】
【技術分野】
【０００１】
本発明は、例えば被験者−試験者のような１対１の教育的な人間関係において、両者のコミュニケーションに基づくカウンセリングに使用するための生体行動反応解析システムに関し、特にはカウンセリングおよびカウンセラ教育に好適な生体行動反応解析システムに関するものである。
【背景技術】
【０００２】
上述した１対１の教育的な人間関係に類似するものとしては、クライエント（解決すべき問題を有する人）とカウンセラ、患者と医師（あるいは看護婦）、クライエントと心理療法士、クライエントと精神医学者、クライエントとケースワーカ、学生と教師、企業内教育における受講者とインストラクタ、親と子等種々の場合がある。これらの例は、その構成および実施方法には差異があるが、両者のコミュニケーションを媒体として問題の解決を図ることを目的とする援助の人間関係（例えば「共感」、「受容性」、「感受性」等相手に係わろうとする姿勢）を成立させようとしている点で共通性があるということを、本願発明者は長年の研究によって確かめた。このように幅広い分野で望まれる援助の人間関係の中の１つであるクライエントとカウンセラとの人間関係、つまりカウンセリングに関し、客観的なデータを得ることは大変意義深いものである。
【０００３】
ここでカウンセリングの概念について詳述すると、カウンセリングの定義については諸説があるが、一般には図１１に示すように表わされる。すなわち、カウンセリング（counseling）に隣接する領域として教育（school  psychology）および心理療法（psychotherapy）があり（これらを混同して用いる場合がある）、さらに心理療法に隣接する領域として精神医学（psychiatry）がある。カウンセリングの理論的背景をなすのはカウンセリング心理学（counseling  psychology）領域であり、その目的とするものは教育、人間性の開発、精神衛生上の予防である。一方、心理療法の理論的背景をなすものは臨床心理学（clinical  psychology）領域であり、その目的とするものは人間性の修正、精神衛生上の予防、治療である。それゆえ、両者には重複する部分がある。また一般にカウンセリングはいわゆる健常者を対象とし、心理療法はいわゆる非健常者及び両者の接点を対象とするが、広くはカウンセリングにおいても神経症的傾向のある人やボーダーラインの人も対象とする。なお図示左方へ向うほど教育的傾向が強まり、図示右方へ向うほど治療的傾向が強まる。
【０００４】
ところで本願発明者は、上述した見地からカウンセリングに関する種々の研究および実験を積み重ねて来た。しかしながら当時のカウンセリングシステムでは、クライエントの心脈拍やGSR（Galvanic Skin Response：電流皮膚反応）等の生体反応を個々に測定し、それを解析してカウンセリングに関する客観的なデータを得ようとしているものの、複数の生体反応相互の関連性や、それらとクライエント−カウンセラ双方の心理学−生理学的分類情報との関連性が得られないという不都合があった。このため、本願発明者は先に、複数の生体反応に関するデータおよびクライエント−カウンセラ双方の心理学−生理学的分類情報に基づきカウンセリングに関する総合的かつ客観的な解析を行うことができる生体行動反応解析システムを発明し、これについて特許を取得した（特許文献１参照）。
【０００５】
この特許発明の生体行動反応解析システムは、被験者および試験者の生体反応であるGSRならびに心脈拍を夫々検出する第１および第２のGSRセンサならびに第１および第２の心脈拍センサと、それら被験者および試験者の生体行動に関する画像情報および音声情報を監視および記録する生体行動監視装置と、その生体行動監視装置から出力された画像情報および音声情報に基づく被験者の「喜」、「怒」、「楽」、「当惑」、「驚き」、「不安」、「スムーズ」、「スムーズでない」等の心理学−生理学的分類情報ならびに試験者の「かかわる」、「かかわらない」、「直視」、「胸上視線」、「胸下視線」、「開かれた質問」、「閉ざされた質問」等の心理学−生理学的分類情報を観察者が入力するための第１および第２の反応キーと、それら被験者および試験者のGSRおよび心脈拍と心理学−生理学的分類情報とを入力し同期させて出力装置の画面等に出力するコンピュータとを具え、そのコンピュータが出力する前記被験者および試験者のGSRおよび心脈拍ならびにそれらに同期した心理学−生理学的分類情報を用いてカウンセリングの解析を行い得るようにしたものである。
【先行技術文献】
【特許文献】
【０００６】
【特許文献１】特許第２５０５２９０号公報
【非特許文献】
【０００７】
【非特許文献１】社団法人電子情報通信学会発行の電子情報通信学会論文誌、Ａ  Ｊ８８−Ａ（８），PP.994-100120050801記載、松下晋および中川匡弘著、「光トポグラフィによる感性情報解析（ヒューマンコミュニケーション）」
【発明の概要】
【発明が解決しようとする課題】
【０００８】
しかして本願発明者は、上記先に特許を取得した生体行動反応解析システムについてさらに研究を進めたところ、以下の点に改良の余地があることを見出した。すなわち、先の生体行動反応解析システムでは、GSRの検出の際に被験者および試験者の指に電極を装着した後、GSR信号のゲイン（増幅度）調整を適切に行うとともに、被験者および試験者を安静状態とする必要があり、このゲイン調整が不適切であったり、被験者と試験者との少なくとも一方が安静状態でなかったりすると、被験者および試験者の生体反応が高精度で得られない可能性があった。そして被験者および試験者の生体反応が高精度で得られない場合には、カウンセリングのより正確な解析にも不都合をきたす可能性があった。
【０００９】
また、先の生体行動反応解析システムでは、生体行動監視装置から出力された画像情報および音声情報に基づき被験者および試験者の心理学−生理学的分類情報を入力するための第１および第２の反応キーが何れも、心理学−生理学的分類情報の有無をその分類情報の種類毎にスイッチのＯＮ／ＯＦＦで入力するのみであるため、被験者の感情の程度や、試験者の質問のかかわりの程度等が判らず、被験者および試験者の心理学−生理学的分類情報が高精度で得られない可能性があった。そして被験者および試験者の心理学−生理学的分類情報が高精度で得られない場合には、カウンセリングのより正確な解析にも不都合をきたす可能性があった。
【００１０】
さらに、先の生体行動反応解析システムでは、生体行動監視装置から出力された画像情報および音声情報に基づき二人の観察者が第１および第２の反応キーをそれぞれ操作して被験者および試験者の心理学−生理学的分類情報を入力しているが、画像情報および音声情報から被験者の感情を正確に読み取るのは必ずしも容易でないため、被験者の心理学−生理学的分類情報が高精度で得られない可能性があった。また被験者の感情と同時に試験者の感情も判明すれば、より高精度のカウンセリング解析が可能になると推測された。この一方近年、人の頭部の複数箇所に近赤外線を照射して脳表面からの反射光を受光し、脳の前頭前野の活動に伴う脳表面の血流変化による反射光レベルの微細な変化を捉える光トポグラフィ（登録商標）により、人の感情を非侵襲でしかもリアルタイムに検出する技術が知られている（非特許文献１参照）。
【００１１】
それゆえ本発明は、上述の如き点について改良することで、カウンセリングのより正確な解析を可能にする生体行動反応解析システムを提供することを目的とする。
【課題を解決するための手段】
【００１２】
本発明の第１の態様の生体行動反応解析システムは、図１の概念図に示すように、
被験者と試験者とのコミュニケーションに基づくカウンセリングに使用するための生体行動反応解析システムであって、
被験者および試験者のGSRおよび心脈拍を夫々検出する第１のGSRセンサおよび第２のGSRセンサならびに第１の心脈拍センサおよび第２の心脈拍センサと、
前記被験者および前記試験者の生体行動に関する画像情報および音声情報を監視および記録する生体行動監視装置と、
前記生体行動監視装置から出力された前記画像情報および前記音声情報に基づく前記被験者および前記試験者の心理学−生理学的分類情報を入力するための第１および第２の反応キーと、
前記第１および第２のGSRセンサならびに前記第１および第２の心脈拍センサと、前記第１および第２の反応キーとを接続されており、前記被験者および前記試験者の前記GSRおよび前記心脈拍ならびに前記心理学−生理学的分類情報を同期させる処理を行うとともに、前記被験者および前記試験者の前記GSRおよび前記心脈拍ならびに前記心理学−生理学的分類情報を同期された形で出力する情報処理出力装置と、
を具え、
前記被験者および前記試験者の前記GSRおよび前記心脈拍ならびに前記心理学−生理学的分類情報の同期された形の出力に基づいてカウンセリングの解析を行い得るようにした生体行動反応解析システムにおいて、
前記情報処理出力装置が、
前記第１および第２のGSRセンサのそれぞれのGSRのゲインが適正であることを確認するゲイン確認手段と、
前記第１および第２のGSRセンサのそれぞれのGSRに基づき前記被験者および前記試験者が安静状態であることを確認する安静状態確認手段と、
を有し、
予備測定の段階で前記GSRのゲインが適正であることならびに前記被験者および前記試験者が安静状態であることを確認すると本測定を開始することを特徴とするものである。
【００１３】
また、本発明の第２の態様の生体行動反応解析システムは、図２の概念図に示すように、
被験者と試験者とのコミュニケーションに基づくカウンセリングに使用するための生体行動反応解析システムであって、
被験者および試験者のGSRおよび心脈拍を夫々検出する第１のGSRセンサおよび第２のGSRセンサならびに第１の心脈拍センサおよび第２の心脈拍センサと、
前記被験者および前記試験者の生体行動に関する画像情報および音声情報を監視および記録する生体行動監視装置と、
前記生体行動監視装置から出力された前記画像情報および前記音声情報に基づく前記被験者および前記試験者の心理学−生理学的分類情報を入力するための第１および第２の反応キーと、
前記第１および第２のGSRセンサならびに前記第１および第２の心脈拍センサと、前記第１および第２の反応キーとを接続されており、前記被験者および前記試験者の前記GSRおよび前記心脈拍ならびに前記心理学−生理学的分類情報を同期させる処理を行うとともに、前記被験者および前記試験者の前記GSRおよび前記心脈拍ならびに前記心理学−生理学的分類情報を同期された形で出力する情報処理出力装置と、
を具え、
前記被験者および前記試験者の前記GSRおよび前記心脈拍ならびに前記心理学−生理学的分類情報の同期された形の出力に基づいてカウンセリングの解析を行い得るようにした生体行動反応解析システムにおいて、
前記第１および第２の反応キーが、
前記信号を段階的または連続的に変化させて出力する出力手段と、
前記出力手段を非操作状態に復帰させるリセット手段と、
を有し、
前記出力手段を操作されて前記被験者および前記試験者の心理学−生理学的分類情報の程度を段階的または連続的に入力することを特徴とするものである。
【００１４】
そして、本発明の第３の態様の生体行動反応解析システムは、図３の概念図に示すように、
被験者と試験者とのコミュニケーションに基づくカウンセリングに使用するための生体行動反応解析システムであって、
被験者および試験者のGSRおよび心脈拍を夫々検出する第１のGSRセンサおよび第２のGSRセンサならびに第１の心脈拍センサおよび第２の心脈拍センサと、
前記被験者および前記試験者の生体行動に関する画像情報および音声情報を監視および記録する生体行動監視装置と、
前記生体行動監視装置から出力された前記画像情報および前記音声情報に基づく前記被験者および前記試験者の心理学−生理学的分類情報を入力するための第１および第２の反応キーと、
前記第１および第２のGSRセンサならびに前記第１および第２の心脈拍センサと、前記第１および第２の反応キーとを接続されており、前記被験者および前記試験者の前記GSRおよび前記心脈拍ならびに前記心理学−生理学的分類情報を同期させる処理を行うとともに、前記被験者および前記試験者の前記GSRおよび前記心脈拍ならびに前記心理学−生理学的分類情報を同期された形で出力する情報処理出力装置と、
を具え、
前記被験者および前記試験者の前記GSRおよび前記心脈拍ならびに前記心理学−生理学的分類情報の同期された形の出力に基づいてカウンセリングの解析を行い得るようにした生体行動反応解析システムにおいて、
前記被験者および前記試験者の少なくとも一方の頭部の複数箇所に近赤外線を照射して脳表面からの反射光を受光し、その反射光レベルの微細な変化に基づき前記被験者および前記試験者の少なくとも一方の感情を測定する光トポグラフィ装置をさらに具え、
前記情報処理出力装置が、前記第１および第２のGSRセンサならびに前記第１および第２の心脈拍センサと、前記第１および第２の反応キーとに加えて、前記光トポグラフィ装置を接続されており、前記被験者および前記試験者の前記GSRおよび前記心脈拍ならびに前記心理学−生理学的分類情報を同期させ、さらにそれらGSRおよび心脈拍ならびに心理学−生理学的分類情報に前記被験者および前記試験者の少なくとも一方の感情情報を同期させる処理を行うとともに、前記被験者および前記試験者の前記GSRおよび前記心脈拍ならびに前記心理学−生理学的分類情報および、前記被験者および前記試験者の少なくとも一方の感情情報を同期された形で出力し、
前記被験者および前記試験者の前記GSRおよび前記心脈拍ならびに前記心理学−生理学的分類情報および、前記被験者および前記試験者の少なくとも一方の感情情報の同期された形の出力に基づいてカウンセリングの解析を行い得るようにしたことを特徴とするものである。
【００１５】
そして本発明においては、上記第１の態様、第２の態様および第３の態様のうち何れか２つ、または３つ全てを組み合わせることもできる。
【発明の効果】
【００１６】
本発明の第１乃至第３の態様の生体行動反応解析システムにあっては、被験者と試験者とがコミュニケーション（主として言語によるが、ボディランゲージ等非言語によるものも含む）を行う間、第１および第２のGSRセンサおよび心脈拍センサが夫々、被験者のGSRおよび心脈拍ならびに試験者のGSRおよび心脈拍を検出して情報処理出力装置に入力し、生体行動監視装置が、被験者および試験者の生体行動に関する画像情報および音声情報を監視および記録し、生体行動監視装置から出力された画像情報および音声情報を受取る観察者により操作される第１および第２の反応キーが、その生体行動監視装置から出力された画像情報および音声情報に基づく被験者の喜、怒、楽、当惑、驚き、不安、スムーズ、スムーズでない等の心理学−生理学的分類情報および試験者のかかわる、かかわらない、直視、胸上視線、胸下視線、開かれた質問、閉ざされた質問等の心理学−生理学的分類情報を情報処理出力装置に入力する。そして、第１および第２のGSRセンサおよび心脈拍センサならびに第１および第２の反応キーを接続された情報処理出力装置が、入力された被験者および試験者のGSRおよび脈拍ならびに心理学−生理学的分類情報を同期させる処理を行うとともに、それら被験者および試験者のGSRおよび心脈拍ならびに心理学−生理学的分類情報を同期された形で出力する。
【００１７】
従って、本発明の第１乃至第３の態様の生体行動反応解析システムによれば、情報処理出力装置の出力情報において、被験者のGSR、心脈拍のピーク値および被験者の心理学−生理学的分類情報、試験者のGSR、心脈拍のピーク値および試験者の心理学−生理学的分類情報が同期され、前記被験者の心理学−生理学的分類情報および前記試験者の心理学−生理学的分類情報が同期されているので、この出力情報に基づいてカウンセリング解析を総合的かつ客観的に行うことができる。また、この出力情報を被験者、試験者の双方またはいずれか一方にフィードバックすることにより、特にカウンセラ教育において多大な効果を得ることができる。
【００１８】
さらに、本発明の第１の態様の生体行動反応解析システムにあっては、ゲイン確認手段が、例えば予備測定中のGSRの最大値と最小値との差が所定以上であること等から第１および第２のGSRセンサのそれぞれのGSRのゲイン（増幅度）が適正であることを確認し、安静状態確認手段が、第１および第２のGSRセンサのそれぞれのGSRに基づき例えば予備測定中の所定時間内のGSRの最大値後にその最大値に対し所定割合以下のGSRが所定時間続いたこと等から被験者および試験者が安静状態であることを確認し、情報処理出力装置が、予備測定の段階でGSRのゲインが適正であることならびに被験者および試験者が安静状態であることを確認すると本測定を開始する。
【００１９】
従って、本発明の第１の態様の生体行動反応解析システムによれば、GSR信号のゲイン調整を適切に行うとともに被験者および試験者を安静状態とした状態でGSRを測定することができるので、被験者および試験者の生体反応を高精度で得ることができ、ひいてはカウンセリングのより正確な解析を可能にすることができる。
【００２０】
また、本発明の第２の態様の生体行動反応解析システムにあっては、観察者により操作される第１および第２の反応キーの出力手段が、心理学−生理学的分類情報の信号を段階的または連続的に変化させて出力し、それら第１および第２の反応キーのリセット手段が、心理学−生理学的分類情報の終了時や生体行動監視装置からの画像情報および音声情報の出力終了時等に上記出力手段を非操作状態に復帰させ、これにより第１および第２の反応キーが、被験者および試験者の心理学−生理学的分類情報の程度を段階的または連続的に入力する。
【００２１】
従って、本発明の第２の態様の生体行動反応解析システムによれば、被験者の感情の程度および試験者の質問のかかわりの程度の少なくとも一方を入力できるので、被験者および試験者の心理学−生理学的分類情報を高精度で得ることができ、ひいてはカウンセリングのより正確な解析を可能にすることができる。
【００２２】
そして、本発明の第３の態様の生体行動反応解析システムにあっては、光トポグラフィ装置が、被験者および試験者の少なくとも一方の頭部の複数箇所に近赤外線を照射して脳表面からの反射光を受光し、その反射光レベルの微細な変化に基づき被験者および試験者の少なくとも一方の感情を測定し、情報処理出力装置が、第１および第２のGSRセンサならびに第１および第２の心脈拍センサと、第１および第２の反応キーとに加えて、光トポグラフィ装置を接続され、被験者および試験者のGSRおよび心脈拍ならびに心理学−生理学的分類情報を同期させ、さらにそれらGSRおよび心脈拍ならびに心理学−生理学的分類情報に、被験者および試験者の少なくとも一方の感情情報を同期させる処理を行うとともに、被験者および試験者のGSRおよび心脈拍ならびに心理学−生理学的分類情報および、被験者および試験者の少なくとも一方の感情情報を同期された形で出力し、これにより、被験者および試験者のGSRおよび心脈拍ならびに心理学−生理学的分類情報および、被験者および試験者の少なくとも一方の感情情報の同期された形の出力に基づいてカウンセリングの解析を行い得るようにする。
【００２３】
従って、本発明の第３の態様の生体行動反応解析システムによれば、観察者が、画像情報および音声情報から被験者や試験者の感情を正確に読み取ることができず、あるいは被験者や試験者の感情を読み取り損ねたことがあっても、光トポグラフィ装置で得た感情情報を参照することで、被験者の心理学−生理学的分類情報を高精度で得ることができ、ひいてはカウンセリングのより正確な解析を可能にすることができる。
【図面の簡単な説明】
【００２４】
【図１】この発明の生体行動反応解析システムの第１の態様の構成を示す概念図である。
【図２】この発明の生体行動反応解析システムの第２の態様の構成を示す概念図である。
【図３】この発明の生体行動反応解析システムの第３の態様の構成を示す概念図である。
【図４】上記第１乃至第３の態様の全てに基づく、この発明の生体行動反応解析システムの一実施例の構成を示すブロック線図である。
【図５】上記実施例の生体行動反応解析システムのGSR測定回路を示す回路図である。
【図６】（ａ）は、上記実施例の生体行動反応解析システムの反応キーを示す外観斜視図、（ｂ）および（ｃ）は、その複数のキーのうちの一つのキーの構成を示す平面図および側面図である。
【図７】上記実施例の生体行動反応解析システムのパーソナルコンピュータが実行する測定プログラムを示すフローチャートである。
【図８】上記測定プログラム中の予備測定で行う準備プログラムを示すフローチャートである。
【図９】上記実施例の生体行動反応解析システムのパーソナルコンピュータがディスプレイ画面上に表示する画像の例を示す説明図である。
【図１０】（ａ）および（ｂ）は、上記画像中のクライエントおよびカウンセラの測定データをそれぞれ示す説明図である。
【図１１】カウンセリングの学術的分野の位置づけを示す説明図である。
【発明を実施するための形態】
【００２５】
以下、本発明の実施の形態を実施例によって、図面に基づき詳細に説明する。ここに、図４は、前述したこの発明の生体行動反応解析システムの第１から第３までの態様の全てに基づく、この発明の生体行動反応解析システムの一実施例の構成を示すブロック線図であり、図中符号10は被験者としてのクライエント、11は試験者としてのカウンセラ、12, 13は夫々観察者を示す。
【００２６】
この実施例の生体行動反応解析システムでは、クライエント10およびカウンセラ11の夫々に、生体反応検出用のGSRセンサ14および心脈拍センサ15を装着する。GSRセンサ14は、クライエントおよびカウンセラの電流皮膚反応（GSR）を測定するもので、両者の指（例えば人差指と薬指）に装着した電極に微少電圧（例えば10mv）を印加して、流れる電流から皮膚抵抗値を測定し、その変化に基づきGSRを求めるものである。心脈拍センサ15は、クライエントおよびカウンセラの心脈拍（心拍）を測定するもので、両者の指（例えば中指）に装着した光センサにより心脈拍パルスを１拍毎に検出するものである。これらセンサ14,15により検出したGSRおよび心脈拍のデータは、調整器16およびアナログ−デジタル（A/D）コンバータ18を介して情報処理出力装置としてのパーソナルコンピュータ（以下「パソコン」と称す）20に入力される。なお、一般的にはこれらセンサ14,
15および後述するビデオカメラ21は、クライエント10およびカウンセラ11のいる室内、例えばカウンセリング室22に配置するものとする。
【００２７】
調整器16は、上記センサ14,15からのデータおよび後述する反応キー30からのデータを受けてA/Dコンバータ18へアナログデータのまま出力する機能の他、心脈拍パルスを検出するたびに赤色LEDランプを点滅させるモニタ機能を有している。そしてA/Dコンバータ18は、調整器16からのアナログデータをデジタルデータに変換してパソコン20へ出力する機能を有している。なお、GSRは測定条件の変動により時間の経過と共に変動していくことがあり、その場合ゼロセット（GSR測定値がゼロ付近で安定するようにすること）を行うものとする。調整器16には、GSR測定値をモニタするメータが２系統分（クライエント10用およびカウンセラ11用）配設されている。このメータおよび後述するオートバランスにより、以下に示すように、内蔵する図示しないゲイン切換スイッチおよびゼロセット用可変抵抗器の必要最小限の操作によって、調整器16単独でGSR調整を行うことができる。
【００２８】
ところで、皮膚抵抗値R0に基づき定まる基準電圧が基準値の範囲内に入っていないとGSR測定ができないため、基準値範囲内に収まるよう基準電圧を調整する必要があるが、オートバランスはその調整を手動で行わずに自動調整するものである。図５は、この実施例の生体行動反応解析システムのGSR測定回路を示す回路図であり、オートバランスはこの回路中で、まずGSRセンサ14よりクライエント10（またはカウンセラ11）の皮膚抵抗R0を読込み、その皮膚抵抗R0に基づき定まる基準電圧V2が基準値の範囲外ならば基準電圧V2を増減する。この基準電圧V2の増減は、基準電圧V2が基準値の範囲内に収まるまでトランジスタTrのベース電流を増減することで行い、基準値の範囲内に収まったら、皮膚抵抗R0に基づき決定されるGSR信号を出力する。
【００２９】
ここでGSRの測定原理について説明すると、GSR測定回路は図５に示すように、GSRセンサ14を電圧＋Vが印加される抵抗R1ならびに、トランジスタTrのコレクタおよび信号出力用のコンデンサＣの接続点に接続し、Trのエミッタを抵抗R2を介して接地し、TrのベースをオペアンプOP1の出力端に接続し、オペアンプOP1の非反転入力端に電圧V0を印加し、オペアンプOP1の反転入力端をTrのエミッタおよび抵抗R2の接続点に接続して構成されており、このGSR測定回路においては、例えは皮膚抵抗R0が増加するとTrのエミッタ電圧V2は減少し、これに応じてオペアンプOP1の入力電圧（V0-V2）の増加分に応じた電圧がTrのベースにフィードバックされ、エミッタ電圧V2が設定値（減少する前の値）になる。このときTrのコレクタ電圧V1が変化するから、このコレクタ電圧V1の変化に応じてGSR信号をコンデンサＣから出力する。
【００３０】
このGSR測定回路はさらに、コンデンサＣを抵抗R3に接続するとともに、それらコンデンサＣと抵抗R3との接続点をゼロセットスイッチS1を介して接地可能とし、オペアンプOP2の反転入力端に、その抵抗R3を接続するとともに、両端に電圧±V2を印加されたゼロセット用可変抵抗器VR1の中間端子を抵抗R4を介して接続し、さらにオペアンプOP2の出力端を抵抗R5を介してフィードバック接続し、オペアンプOP1の非反転入力端を接地し、オペアンプOP3の反転入力端に、オペアンプOP2の出力端を抵抗R6を介して接続するとともに、オペアンプOP3の出力端を、ゲイン切換スイッチS2で選択される抵抗R7〜R10の何れかを介してフィードバック接続し、オペアンプOP3の非反転入力端を接地して構成された増幅回路を備えており、この増幅回路においては、コンデンサＣから出力されるGSR信号を、オペアンプOP2でゼロセットおよび増幅し、さらにオペアンプOP3でゲイン調整しつつ増幅して、そのオペアンプOP3の出力端から出力する。
【００３１】
GSR信号は、プラスマイナス5Vの範囲内で出力され、クライエント（またはカウンセラ）の安静時には通常0V付近で安定する（メータは中央の0V位置からほとんど振れない）が、0V付近にない場合には、ゼロセットスイッチS1をONにしてコンデンサＣと抵抗R3との接続点を接地した状態でゼロセット用可変抵抗器VR1により0V付近に調整してから、ゼロセットスイッチS1をOFFにしてその接続点の接地を外して実際の測定を行うものとし、またGSR測定値の振幅は、室温、皮膚温度等により変動するため、上記の調整に先立ち、メータの振れが適切な振幅になるような増幅回路の増幅度（ゲイン）をゲイン切換スイッチS2によって選択しておくものとする。なお、これらの操作により一旦GSR調整を行ったら、GSR測定中は特に大きなGSRの変動がない限り再調整する必要はない。
【００３２】
ビデオカメラ21は、クライエント10とカウンセラ11とが実際にカウンセリングを行っている状況を画像および音声により監視するもので、パソコン20を介してデジタルビデオディスク（DVD）レコーダ24に接続し、その画像信号および音声信号をDVDに記録する。そしてパソコン20は、例えば液晶表示式のディスプレイ画面20aを有し、ビデオカメラ21からの現在のカウンセリング状況を示す画像信号および音声信号または、DVDレコーダ24がDVDから再生する先に記録したカウンセリング状況を示す画像信号および音声信号を受けて、ディスプレイ画面20aにそのカウンセリング状況を表示するとともに図示しないスピーカからカウンセリング中の音声を出力する。
【００３３】
観察者12および観察者13は、一般にカウンセリング室22とは異なる場所でこの表示をモニタするとともに音声を聴いてスライド式反応キー30の入力操作を行う。このスライド式反応キー30は、上記カウンセリング中の状況を示す画像および音声に基づく心理学−生理学的分類（カテゴリ）情報の内の１つを入力するための入力装置であり、観察者12,
13が夫々手で操作する。
【００３４】
スライド式反応キー30は、図６（ａ）に示すように、各々出力手段としてのスライド式可変抵抗器からなる、０〜７の番号を付した８つのスライドスイッチ30aを有し、クライエント10用およびカウンセラ11用の各反応キー30の番号０〜７の各スライドスイッチ30aには夫々、異なる心理学−生理学的分類情報（カテゴリ）を割り当てる。例えば、クライエント10用の反応キー30においては、番号０に（スムーズでない）、番号１に（スムーズ）、番号２に（不安）、番号３に（喜）、番号４に（楽）、番号５に（怒）、番号６に（当惑）、そして番号７に（驚き）を割り当て、またカウンセラ11用の反応キー30においては、番号０に（かかわる：傾聴）、番号１に（かかわらない）、番号２に（直視）、番号３に（視線胸上）、番号４に（視線胸下）、番号５に（開かれた質問）、そして番号６に（閉ざされた質問）を割り当てる（カウンセラ11用の番号７は欠番）。なお、これらのカテゴリは「マイクロカウンセリング」（Allen
E Ivey著，福原他訳、川島書店、1985年11月発行、p8）に記載された対話技法に準拠して、発明者の創意を加えて作成したものである。これにより、クライエント10およびカウンセラ11の行動を生理学的−心理学的に分類することができる。
【００３５】
また、このスライド式反応キー30は、図６（ｂ），（ｃ）に示すように、８つのスライドスイッチ30aの各々について、そのスライドスイッチ30aのスライドノブ30bに一端を連結したワイヤ30cをワイヤドラム30dに巻き付け、そのワイヤドラム30dを、板バネからなるぜんまいバネ30eで回転付勢するとともに、８つのスライドスイッチ30aに共通の、リセット手段としてのリセットレバー30fで例えばゴム製の摩擦ローラ30gを、ワイヤドラム30dに対し摺接および離間可能にかつ回転抵抗を持たせて支持し、そのリセットレバー30fを、摩擦ローラ30gがワイヤドラム30dに対し摺接するようにコイルバネ30hで常時付勢して構成されており、これにより各スライドスイッチ30aのスライドノブ30bの移動に伴ってワイヤ30cがワイヤドラム30dに巻き上げられたりワイヤドラム30dから繰り出されたりするが、ワイヤドラム30dは摩擦ローラ30gに摺接して回転抵抗を与えられているので、スライドノブ30bは任意の位置で停止させることができる。
【００３６】
従って、この実施例の生体行動反応解析システムによれば、観察者12, 13が各々スライドスイッチ30aのスライドノブ30bを指でスライドさせることで、スライド式反応キー30が、任意のレベル（程度）の心理学−生理学的分類情報、例えば強い／軽い不安、強い／軽い驚き、強い／軽い傾聴、強い／軽い視線外し等を出力するので、カウンセリングのより正確な解析を可能にすることができる。そしてカテゴリ入力が終了して次のカテゴリ入力を行う際等に、観察者12,13がリセットレバー30fを操作して摩擦ローラ30gをワイヤドラム30dから離間させれば、ぜんまいバネ30eで回転付勢されたワイヤドラム30dが、ワイヤ30cを巻き上げて各スライドスイッチ30aのスライドノブ30bを自動的に初期位置に復帰させる。
【００３７】
さらにこの実施例の生体行動反応解析システムでは、クライエント10およびカウンセラ11の夫々の頭部に、感情検出用の近赤外線センサ31を装着する。この近赤外線センサ31は、網状の装具に複数の近赤外線発光器および複数の近赤外線受光器をマトリックス状に配置して取り付けたもので、その装具を頭部に装着すると頭皮上に近赤外線発光器および近赤外線受光器をマトリックス状に配置し、発光器から頭部に近赤外線を照射して脳表面からの反射光を受光器で受光し、脳の前頭前野の特定部位の活動に伴う脳表面の血流変化による反射光レベルの微細な変化を捉えて電気信号で出力するものであり、この近赤外線センサ31の出力信号は、光トポグラフィ（登録商標）装置32（例えば日立メディコ社の商品名ETG7000等）に入力され、光トポグラフィ装置32は、その近赤外線センサ31の出力信号から脳の前頭前野において脳表面の血流変化が生じた部位をマッピングし、予め実験で得た脳表面の血流変化部位と感情との関係と対比することで分析して、クライエント10およびカウンセラ11の夫々の、少なくとも「怒り」、「喜び」、「悲しみ」および「リラックス」の４種類の感情を、非侵襲でしかもリアルタイムに検出し、パソコン20にデータとして出力することができ、例えば、強い怒り（不快感）を覚えた時は左右の前頭前野の腹側の血流が増し、強い喜び（快感）を覚えた時は左の前頭前野の背側の血流が増すこと等が判明している（非特許文献１参照）。
【００３８】
パソコン20は、ディスプレイ画面20aに加えて図示しないプリンタを備えており、上記各入力データに基づき、あらかじめ記憶した図７に示す測定プログラムを実行して、クライエント10およびカウンセラ11の行動の解析を支援する。なお、この測定プログラムの実行に先立って、各センサ、ビデオカメラ等の動作確認および調整を行う（例えば調整器16においてGSR測定値を確認したり、好ましい画像が得られるようにビデオカメラ21を調整したりする）一方、クライエント10にオリエンテーションを行って、本システムを用いるカウンセリングに対するクライエント10の不安を取除いておくとともに、クライエント10に対し必要以上に指を動かさないよう協力を求めておく（指を動かすとGSR、心脈拍の測定値に影響する）。また、調整器16はＡおよびＢの２チャンネルを持つので、以下の説明では、クライエント10にＡチャンネル（A-ch）、カウンセラ11にＢチャンネル（B-ch）を割り当ててある。
【００３９】
図７の測定プログラムでは、パソコン20は、図示しないが、最初にディスプレイ画面20aに、「設定」、「測定」、「グラフ表示」、「生データ表示」、「データ保存」、「データ再生」、「終了」の各ボタンを持つメニュー画面を表示する。ここで、「設定」を選択されて入力されると、測定条件の設定を行い、「測定」を選択されて入力されると、測定条件に従って測定を行い、「グラフ表示」を選択されて入力されると、測定で得られたデータをグラフ表示するとともに指示があればそのグラフを印刷し、「生データ表示」を選択されて入力されると、測定で得られたデータを一覧表で表示するとともに指示があればその一覧表を印字し、「データ保存」を選択されて入力されると、測定で得られた画像と音声以外のデータをパソコン20が内蔵するハードディスクドライブ装置に保存し、「データ再生」を選択されて入力されると、保存していたデータを読み込んでグラフ表示および生データ表示できるようにし、「終了」を選択されて入力されると、このプログラムを終了する。
【００４０】
そして測定者が上記メニュー画面で「設定」を選択して入力すると、パソコン20は、ディスプレイ画面20aに設定画面を表示し、測定者が、その設定画面において測定時間（例えば10分、15分、20分、25分、30分、60分から選択）およびサンプリング時間（例えば20msec、50msec、100msec、200msecから選択）を設定するとともに、ディスプレイ画面20aへ表示するデータとしてGSRおよび心脈拍測定を選択すると、ステップS1およびステップS2で、それらの設定および選択結果を入力し、次いでステップS3で、ディスプレイ画面20a上に、ビデオカメラ21からの画像に重ねてセンサ14,15からのクライエント10およびカウンセラ11の各データをグラフ表示する測定画面を表示し、次いで測定者の操作でDVDレコーダ24が、カウンセリング状況を示す画像信号および音声信号の、DVDへの記録（録画）を開始し、ステップS4の予備測定に進む。
【００４１】
この予備測定では、パソコン20は、あらかじめ記憶した図８に示す準備プログラムを実行して本測定の準備を行う。この準備プログラムでは、先ずステップS21で、パソコン20がディスプレイ画面20a上に、クライエント10のGSRセンサ14からのデータであるGSR-A信号と、カウンセラ11のGSRセンサ14からのデータであるGSR-B信号とのゲインとオートゼロの調整を指示するメッセージを提示し、これにより測定者は、調整器16において、ゲイン切換スイッチS2により、GSR-A信号とGSR-B信号とのゲインを先ず当初のレベル（目盛２）に調整するとともに、ゼロセットスイッチS1およびゼロセット用可変抵抗器VR1により、前述の如くしてそれらGSR-A信号とGSR-B信号とのオートゼロを調整する。
【００４２】
次いでパソコン20は、ステップS22で、予備測定を開始して、クライエント10およびカウンセラ11の各データを、センサ14,15から調整器16を経て読込み、次のステップS23で、予備測定の開始から30秒間のデータを収集する。この30秒間では、先ず測定者が、カウンセラ11とクライエント10とに所定の刺激（例えばブザー音）を与えた後、カウンセラ11がクライエント10と通常の会話（例えば生活に関する話）を行うことで、GSR-A信号とGSR-B信号とに一旦ピーク（最大値）が生じた後ある程度の変化が続くようにする。その後パソコン20は、次のステップS24で、上記収集したGSR-A信号とGSR-B信号との夫々について、最大値と最小値の差が0.1V以下か否かを判断し、少なくとも一方の信号で最大値と最小値の差が0.1V以下の場合は、ステップS25で、ディスプレイ画面20a上に、その信号のチャンネルを示して「GSRの反応がありません。ゲイン調整を行ってください。」とのメッセージを提示し、さらにステップS26で、ディスプレイ画面20a上に「予備測定を続けますか？」とのメッセージを提示し、測定者が「はい」と入力した場合はステップS27へ進み、測定者が「いいえ」と入力した場合は前述のメニュー画面に戻る。これに対し測定者は、カウンセラ11とクライエント10とに再び上記刺激を与え、その時のGSR信号のピークが1V以上で1v近くになるようにゲインを調整する。
【００４３】
一方、上記ステップS24でGSR-A信号とGSR-B信号との両方とも最大値と最小値の差が0.1Vを越えている場合には、パソコン20は、次にステップS27で、GSR-A信号とGSR-B信号との両方とも最大値を基準としてその30％以下の値が10秒間続いているか否かを判断し、少なくとも一方の信号で10秒間続いていない場合は次にステップS28で、５分間が経過したか否かを判断し、５分間経過していない場合はステップS27へ戻って判断を続け、５分間経過した場合は上記ステップS26で、ディスプレイ画面20a上に「予備測定を続けますか？」とのメッセージを提示し、測定者が「はい」と入力した場合はステップS27へ戻って判断を続け、測定者が「いいえ」と入力した場合は前述のメニュー画面に戻る。そしてステップS27で、GSR-A信号とGSR-B信号との両方とも最大値を基準に30％以下の値が10秒間続いている場合は、クライエント10およびカウンセラ11が両方とも安静状態にあると判断できるので、予備測定を終了して本測定に進む。
【００４４】
従って、この準備プログラムを実行するこの実施例の生体行動反応解析システムによれば、本測定の前にGSR信号のゲイン調整を適切に行うとともにクライエント10およびカウンセラ11を安静状態とした状態でGSRを測定することができるので、クライエント10およびカウンセラ11の生体反応を高精度で得ることができ、ひいてはカウンセリングのより正確な解析を可能にすることができる。
【００４５】
図７の測定プログラムに戻って、ステップS4での予備測定が終了すると、ステップS5で本測定を行う。なお、最初に行う本測定では、先に設定した測定時間内で、カウンセラ11がクライエント10との間でカウンセリング手法に基づき対話を行い、その間、パソコン20は、ディスプレイ画面20a上に測定画面を表示し、その測定画面上で、ビデオカメラ21からのクライエント10およびカウンセラ11の画像に重ねてセンサ14,
15からのクライエント10およびカウンセラ11の各データを同一時間軸の下で（カウンセリング中の経過時間に対する表示位置を揃えて）リアルタイムにグラフ表示しつつ、一時ファイルとして記録する。なお、この最初に行う本測定中、光トポグラフィ装置32も、クライエント10およびカウンセラ11の夫々の感情をリアルタイムに検出してパソコン20にデータとして出力するが、パソコン20はこの光トポグラフィデータを、センサ14,
15からのデータと同一時間軸の下で一緒に記録しているものの測定画面には表示しない。そして最初の本測定が終了すると、測定者が、DVDレコーダ24の録画を終了させるとともに、ファイル名を設定して入力し、パソコン20が、ステップS6で、そのファイル名を付けて上記一時ファイルのデータを前述のハードディスクドライブ装置に保存する。
【００４６】
パソコン20は、次にステップS7で、スライド式反応キー30からのデータ入力が終了しているか否かを判断し、終了していない場合はステップS8へ進んで、ディスプレイ画面20a上に「スライド式反応キー30からのデータ入力が終了していません。」とのメッセージを提示し、これにより測定者が、前述の設定画面で画面表示に反応キーを含める選択をすると、パソコン20は、ステップS9で、先に保存したセンサ14,15および光トポグラフィ装置32からのデータを上記ハードディスクドライブ装置から読み込み、次いでステップS10で、測定者がDVDレコーダ24を操作してDVDから先に録画したカウンセリング状況を示す画像信号および音声信号を再生させると、そのカウンセリング状況を示す画像および音声を経過時間とともに、ディスプレイ画面20a上で測定画面に、上記読み込んだデータのうちセンサ14,15のデータと重ね合わせて表示する。
【００４７】
この測定画面の表示状態で、ステップS5の本測定の２回目を行い、この２回目の本測定では、２名の観察者12,13のうち、観察者12がクライエント10用のスライド式反応キー30を持ち、観察者13がカウンセラ11用のスライド式反応キー30を持って、各々測定画面に表示されたクライエント10およびカウンセラ11の画像および音声を観察し、その際、観察者12は、カウンセリング中にクライエント10が（スムーズでない）、（スムーズ）、（不安）、（喜）等の心理学−生理学的分類情報（カテゴリ）を示すと、その分類情報（カテゴリ）に対応するスライドスイッチ30aをその分類情報の程度（レベル）に応じた距離だけスライドさせ、観察者13は、カウンセリング中にカウンセラ11が（かかわる：傾聴）、（かかわらない）、（直視）、（視線胸上）等の心理学−生理学的分類情報（カテゴリ）を示すと、その分類情報（カテゴリ）に対応するスライドスイッチ30aをその分類情報の程度（レベル）に応じた距離だけスライドさせる。そしてパソコン20は、それらのスライド式反応キー30の出力データを上記読み込んだセンサ14,15および光トポグラフィ装置32からのデータ（例えば番号０に「怒り」、番号１に「喜び」、番号２に「困惑」、番号３に「リラックス」を割り当ててある）と同一時間軸の下で測定画面にリアルタイムにグラフ表示しつつ、一緒に一時ファイルとして記録し、２回目の本測定が終了すると再度上記ステップS7へ進で、その一時ファイルのデータを上記ハードディスクドライブ装置に保存する。
【００４８】
かくしてステップS7で、スライド式反応キー30からのデータ入力が終了すると、パソコン20は、前述のメニュー画面からの指示に応じて、ステップS11で、上記ハードディスクドライブ装置に保存したデータを読み込み、その際、測定者等がDVDレコーダ24を操作してDVDから先に録画したカウンセリング状況を示す画像信号および音声信号を再生させると、例えば図９に示すように、そのカウンセリング状況を示す画像および音声を経過時間とともに、ディスプレイ画面20a上で測定画面に、上記読み込んだGSRデータ、心脈拍データ、反応キーデータおよび光トポグラフィデータの同一時間軸のグラフと重ね合わせて表示する。なお、図９中、横軸は時間経過、縦軸は各データのレベルを示す。
【００４９】
この測定画面に表示されるクライエント10およびカウンセラ11の各々のGSRおよび心脈拍ならびに心理学−生理学的分類および感情の時間的に同期したデータを、それらクライエント10とカウンセラ11との対話の画像および音声と併せて検討することで、カウンセリング中にカウンセラ11が用いた種々のカウンセリング技術と、それらの技術に対するクライアント11の反応とを客観的かつ正確に解析することができる。
【００５０】
上記実施例の生体行動反応解析装置を用いたカウンセリング解析の作用を、図１０に示す測定データの例を用いて説明する。この例のカウンセリング状況では、クライエント10は大学院生、カウンセラ11は大学教授であり、カウンセラ11はマイクロカウンセリングの基本的傾聴技法に基づいて、Q1：「あなたの将来の職業の希望について私に少し話してください。（開かれた個人的質問）」、Q2：「この種の職業では人はどのような種類の活動を行いますか？（開かれた非個人的質問）」、Q3：「あなたはこの種の仕事をしている人を誰か知っていますか？（閉ざされた個人的質問）」、Q4：「この種の仕事をするために人にとって大学卒業生の訓練は必要ですか？（閉ざされた非個人的質問）」、Q5：「この種の職業を遂行する際にあなたはどのような種類の課題に直面しますか？（開かれた個人的質問）」、Q6：「大学院でこの種の課題に直面することをあなたは予期していましたか？（閉ざされた個人的質問）」、Q7：「他の大学院生はこの種の課題に直面しますか？（閉ざされた非個人的質問）」、Q8：「他の大学院生はどの様にしてそれらの課題に立ち向かいますか？（開かれた非個人的質問）」の８つの質問をし、クライアント10はそのそれぞれに回答している。また、スライド式反応キー30は、クライアント用およびカウンセラ用の双方とも、積極的（CH0）、消極的（CH1）、中立的（CH2）の３種類の心理学−生理学的分類について任意のレベルで出力している。
【００５１】
まずクライエント10側を見ると、質問Q1に関しては、GSRはピーク値を示し、心脈拍も細かく変化しており、一方、反応キーは（弱く積極的）との情報を示し、光トポグラフィは（喜び）の感情を示していることから、将来の職業に漠然とした関心があると思われる。質問Q2に関しては、GSRはピーク値を示すが、心脈拍は緩やかに変化しており、一方、反応キーは（弱く積極的）との情報を示し、光トポグラフィは（困惑）の感情を示していることから、具体的な活動が思い浮かばず困惑していると思われる。質問Q3に関しては、GSRはピーク値を示し、心脈拍も大きく変化しており、一方、反応キーは（弱く消極的）との情報を示し、光トポグラフィは特に感情を示していないことから、個人的な質問に反応したものの感情は平易に保たれていると思われる。質問Q4に関しては、GSRはピーク値を示し、心脈拍も細かく変化しており、一方、反応キーは（強く積極的）との情報を示し、光トポグラフィは（喜び）の感情を示していることから、現在の自分の状況を肯定的に捉えていると思われる。
【００５２】
さらに、質問Q5に関しては、GSRも心脈拍もほとんど変化しておらず、一方、反応キーは（弱く中立的）との情報を示し、光トポグラフィは（困惑）の感情を示していることから、具体的な課題が思い浮かばず多少困惑していると思われる。質問Q6に関しては、GSRはピーク値を示し、心脈拍も大きく変化しており、一方、反応キーは（強く消極的）との情報を示し、光トポグラフィは特に感情を示していないことから、個人的な質問に反応したものの感情は平易に保たれていると思われる。質問Q7に関しては、GSRも心脈拍もほとんど変化しておらず、一方、反応キーは（弱く積極的から弱く消極的に変化）との情報を示し、光トポグラフィは（困惑）の感情を示していることから、他の学生に関心が向くものの多少困惑していると思われる。そして質問Q8に関しては、GSRはピーク値を示し、心脈拍も大きく変化しており、一方、反応キーは（強く積極的）との情報を示し、光トポグラフィは（喜び）の感情を示していることから、他の学生の適切な対応を思い出して肯定的な感情を持っていると思われる。
【００５３】
次にカウンセラ11側を見ると、質問Q1に関しては、GSRは多少変化を示すが、心脈拍はさほど変化せず、一方、反応キーは（弱く積極的）との情報を示し、光トポグラフィは特に感情を示していないことから、穏やかに質問をしたと思われる。質問Q2に関しては、GSRは多少変化を示すが、心脈拍はほとんど変化しておらず、一方、反応キーは（弱く消極的）との情報を示し、光トポグラフィは（困惑）の感情を示していることから、クライエント10の様子にあまり関心を示さずに質面をしたと思われる。質問Q3に関しては、GSRはピーク値を示すが、心脈拍はほとんど変化せず、一方、反応キーは（強く積極的）との情報を示し、光トポグラフィは（喜び）の感情を示していることから、関心を持って質問したものと思われる。質問Q4に関しては、GSRはほとんど変化せず、心脈拍もさほど変化していず、一方、反応キーは（弱く積極的）との情報を示し、光トポグラフィは（喜び）の感情を示していることから、質問に対するクライエント10の反応に満足していると思われる。
【００５４】
さらに、質問Q5に関しては、GSRも心脈拍もほとんど変化しておらず、一方、反応キーは（弱く積極的）との情報を示し、光トポグラフィは（困惑）の感情を示していることから、軽く質問を投げかけたものと思われる。質問Q6に関しても、GSRも心脈拍もほとんど変化しておらず、一方、反応キーは（弱く積極的）との情報を示し、光トポグラフィは（困惑）の感情を示していることから、質問が的確でなかったと感じたものと思われる。質問Q7に関しては、GSRが穏やかに変化し、心脈拍も細かく変化しており、一方、反応キーは（弱く積極的）との情報を示し、光トポグラフィは（喜び）の感情を示していることから、話題を転じてよかったと感じていると思われる。そして質問Q8に関しては、GSRは細かく変化し、心脈拍は大きく変化しており、一方、反応キーは（強く積極的）との情報を示し、光トポグラフィは（喜び）の感情を示していることから、クライエント10の肯定的な感情を引き出せて満足していると思われる。
【００５５】
このようにカウンセラ11およびクラエイント10の生体反応データに着目して心理学−生理学的分類情報の解析を行うとともに光トポグラフィで得た感情情報を補助的に用いて参照することにより、この実施例の生体行動反応解析システムによれば、カウンセリング解析を、可能な限り主観（経験、判断等）を排除して総合的かつ客観的に、しかも正確に行うことができ、得られた客観的データの蓄積および解析から、カウンセリングにおいてクライエント、カウンセラの心理学−生理学的分類情報とクライエント、カウンセラの生体反応とは同期するということを充分に裏付けることができる。
【００５６】
なお、クライエントの問題解決に際し、カウンセラおよびクラエイント間の、相手に係わろうとする姿勢の下での双方向のコミュニケーションは、カウセリングにおける基本的態度としていかなるカウセリングにおいても望ましいものとされるが、この実施例のシステムは、明らかに援助の人間関係にあるいわゆる専門的なカウンセリングのみならず、日常的な対話場面等の各種の人間関係においても成立する、上記コミュニケーションの促進、改善のためのトレーニングにも大きな効果を得ることができる。
【００５７】
さらに、上述の如くして得た解析結果を音声あるいは文字データとして、ディスプレイ画面20a上で測定画面に、前述したカウンセリング状況を示す画像および音声と、読み込んだGSRデータ、心脈拍データ、反応キーデータおよび光トポグラフィデータの同一時間軸のグラフと一緒に再生し、クライエントおよびカウンセラの双方またはいずれか一方に示す（フィードバックする）ことにより、クライエントに対してはより高度の自己洞察、自己認識を援助することができ、カウンセラに対しては自己のカウンセリング技術を正確に把握させてより効果的なカウンセラ教育を行うことができる。
【００５８】
以上、図示例に基づき説明したが、この発明は上述の例に限定されるものでなく、特許請求の範囲の記載範囲内で適宜変更し得るものであり、例えば、反応キーの入力手段は無段階の可変抵抗器からなるスライドスイッチに換えて複数段階に抵抗値を切り替えて出力するスライドスイッチとしても良く、その場合にリセット手段はスイッチをホームポジションに戻るように常時付勢するスプリングでも良い。また、パーソナルコンピュータは、ＤＶＤレコーダを用いる代わりに他の媒体、例えば内臓あるいは外付けのメモリ素子やハードディスクドライブ装置を用いて画像情報および音声情報を記録しても良い。
【産業上の利用可能性】
【００５９】
かくしてこの発明の生体行動反応解析システムによれば、被験者のGSR、心脈拍のピーク値および被験者の心理学−生理学的分類情報が同期され、試験者のGSR、心脈拍のピーク値および試験者の心理学−生理学的分類情報が同期され、前記被験者の心理学−生理学的分類情報および前記試験者の心理学−生理学的分類情報が同期された出力情報に基づいて、カウンセリング解析を総合的かつ客観的に行うことができる。また、この出力情報を被験者、試験者の双方またはいずれか一方にフィードバックすることにより、特にカウンセラ教育において多大な効果を得ることができる。
【００６０】
加えて、この発明の第１の態様の生体行動反応解析システムによれば、被験者および試験者の生体反応を高精度で得ることができ、またこの発明の第２の態様の生体行動反応解析システムによれば、被験者および試験者の心理学−生理学的分類情報を高精度で得ることができ、そしてこの発明の第３の態様の生体行動反応解析システムによれば、被験者の心理学−生理学的分類情報を高精度で得ることができるので、何れもカウンセリングの経過および結果のより正確な解析を可能にすることができる。
【符号の説明】
【００６１】
10  クライエント
11  カウンセラ
12,13  観察者
14  GSRセンサ
15  心脈拍センサ
16  調整器
18  A/Dコンバータ
20  パーソナルコンピュータ（パソコン）
20a ディスプレイ画面
20b 測定プログラム
21  ビデオカメラ
22  カウンセリング室
24  DVDレコーダ
30  スライド式反応キー
30a スライドスイッチ
30b スライドノブ
30c ワイヤ
30d ワイヤドラム
30e ぜんまいバネ
30f リセットレバー
30g 摩擦ローラ
30h コイルバネ
31  近赤外線センサ
32  光トポグラフィ装置
【図１】
2011087784.tif 000003
【図２】
2011087784.tif 000004
【図３】
2011087784.tif 000005
【図４】
2011087784.tif 000006
【図５】
2011087784.tif 000007
【図６】
2011087784.tif 000008
【図７】
2011087784.tif 000009
【図８】
2011087784.tif 000010
【図９】
2011087784.tif 000011
【図１０】
2011087784.tif 000012
【図１１】
2011087784.tif 000013